(57)【要約】      （修正有）【課題】パークゴルフのプレーヤーがマーカーの紛失する悩みを無くすべく、簡単な扱いにて使いやすいよう形成したピン付きマーカーホルダーを提供する。【解決手段】円盤状部材の下面中央に一本の軸を垂設してなるマーカーを収めるＴ字型の穴を施した一枚の物と、穴を施さない一枚の物とを重ね合わせ縫いし一体に成形してなり、前記Ｔ字型の穴の横穴１ａに前記マーカーの円盤状部材を挿入し、前記Ｔ字型の穴の縦穴から前記軸を突出した状態でスライドさせて保持する。【選択図】図１
0003209836.tif 000002
【実用新案登録請求の範囲】
【請求項１】
マーカーを収めるＴ字型に成る穴の形状、及び、この穴の形状に係る縦横の各寸法が効果を成す為の物であり、このＴ字型の穴を施した一枚の物と、穴となる物を施さない一枚の物とを重ね合わせ縫いし１体に形成した。ピン付きマーカーホルダー。
【請求項２】
デザイン、製品の目的、用途等々に於いて、Ｔ字型の穴の数、及び、穴の配置、外形状、及び、Ｔ字型の穴を施した物を、既存の製品に組み込む等、如何なる構成にても成るピン付きマーカーホルダー。
【考案の詳細な説明】
【技術分野】
【０００１】  本考案は庶民的なスポーツとして親しまれている、パークゴルフと言うスポーツをプレーするに付き使われる、図４に見る１６ａ，１６ｂの既存に有るピン付きマーカー（以後の記述はマーカーと略す）と言う用品がある。このマーカーをパークゴルフを楽しむプレーヤーが携帯し有意義にプレー出来るようマーカー収納用具として考案された、ピン付きマーカーホルダーに関するものである。
【背景技術】
【０００２】  従来、パークゴルフをプレーするに於いて、プレーヤーはマーカーを常に携帯しプレーを進行するのであるが、この携帯方法の１例として、パークゴルフクラブのグリップの先端に有る小さな穴に差し込む、或は、ズボンのポケットに入れる等、プレーヤー個人個々が色々と工夫をしていた。しかしながら、このプレーヤー個人が個々に色々と工夫し携帯するに於いて、ほとんどのプレーヤーがマーカーを紛失してしまう悩みを持っていた。
【考案の概要】
【考案が解決しようとする課題】
【０００３】  以上のような従来の欠点に鑑み、プレーヤーがマーカーの紛失する悩みを無くすべく、簡単な扱いにて使いやすいよう形成した本考案を携帯する事により、前述の問題を解決する事を提供出来る、ピン付きマーカーホルダーである。
【課題を解決するための手段】
【０００４】  上記した目的を達成するために、本考案は、図１に見る実施例に成る物を構成する事により以下の効果を生む物となる。８ｃにあるマーカーを収める為の図３にても見る１、２のＴ字型の形状の穴を設け、この穴に差し込む事により抜け出るような事のない作用があり、このピン付きマーカーホルダーを、図１に見る１３ａ固定バンドにて腰に吊るすなど携帯する事により問題を解決するものである。
【考案の効果】
【０００５】  以上の説明から明らかなように、本考案にあっては次に列挙する効果が得られる。
マーカーを図３に見る１、２のＴ字型の形状に成る穴、及び、図１にも見る８ｃに有るこのＴ字型の形状に成る穴へ差し込んだ事で、マーカーが抜ける方向へ移動した場合、このＴ字型の穴の作用によって抜け出る事のない効果を成し、抜く行為を行わない限りピン付きマーカーホルダーに収まっている。尚、マーカーを使用する場合にはピン付きマーカーホルダーから取り出すのであるが、その手段は、簡単な方法にて取り出せる形状となっており、よって、差し込む行為、及び、取り出す行為も簡単に行え、抜け出る事が無く、従って、マーカーをピン付きマーカーホルダーに収め携帯する事により、紛失するような事は起きないのである。【０００６】  図４に見る１５のＴ字型の穴の配列、及び、外形状も、図１に見る８ｃの実施形状の１例にて、デザイン、用途等々からＴ字型の穴の数、及び、配列、又、外形状も変える事にて更なる新製品を生む目的を成す物に利用出来、前記と同様な効果が得られる。
【図面の簡単な説明】
【０００７】
【図１】  本考案のピン付きマーカーホルダーの実施例を示す正面図である。
【図２】  図１に見る１３ａの固定バンド矢視Ｃ図、及び、８ｃピン付マーカーホルダーの、Ａ−Ａ、Ｂ−Ｂの各断面図であり、１４のゴム紐図は省略し表した図とする。
【図３】  本考案は二枚で形成されている物で、その各一枚一枚を表した図である。
【図４】  １５は他の形状の１案件、１６ａ，１６ｂは既存のピン付きマーカーの略図である。
【考案を実施するための形態】
【０００８】  本考案は、図３に見る８ａの１、２、のＴ字型の形状に成る穴の加工を施した一枚の物と、８ｂ何の加工を施されていない一枚の物とを、図１に見る１２重ね合わせ縫いし、８ｃ一体に形成する事で本考案の目的を成す物であり、このＴ字型の穴へマーカーを差し込むとこの穴の作用に依って、取り出す行為を行わない限り抜け出る事は無く、本考案のピン付きマーカーホルダーが、マーカーの紛失を防ぐ物となるのである。
【実施例】
【０００９】  以下、添付図面に従って実施例を説明する。図１に見る８ｃに形成された本考案のピン付きマーカーホルダーが成す効果は、図３に見る１、２のＴ字型に成る形状の穴を設け３の斜線で印された部分の１片が作用することにより目的を成す物であり、マーカーを図１に見る１ａの横長の穴から９ａ⇒矢印の方向に、及び、別図の、図２にも見るＡ−Ａ断面図で見られる１０ａマーカーを９ａ⇒矢印に止まるまで差し込む事で、マーカーが図１に見る９ｂ⇒矢印、及び、図２で見るＢ−Ｂ断面図，１１ｂでも見る両図９ｂ⇒矢印の方向へ移動した場合，図２に表すように３の斜線で印された部分の１片の内側に入り込みピン付きマーカーホルダーから抜け出るのを防ぐものである。又、図３で見る４、５、６、７の各穴の寸法も効果を成す為の物であり、又、マーカーがピン付きマーカーホルダーから抜け出るのを防ぐ目的を成す為のＴ字型の穴であるが、マーカーを使用する場合にはピン付きマーカーホルダーから取り出す必要がある。その方法は図２に見るＢ−Ｂ断面図、１１ｃで見る⇒矢印方向９ｃへ傾けながら⇒矢印９ｄの方向へ抜く事で簡単に取り出せるのであり、よって本考案の目的を成す物である。【００１０】  図１に見る、本考案はＴ字型の形状に成る穴が横へ並列に設けられておるが、Ｔ字型の穴が１カ所と成る事、又は、２カ所以上の場合に於いては段違いに設けるか、縦列にＴ字型の穴を設けるなど如何なる配列に於いても本考案の目的を成す物である。【００１１】図１に見る構成図は１案件としての実施形状であるが、図４で見る１５の形状もさることながら、デザイン用途等々に於いて他の形状に成る物を設ける事も、本考案の目的を成す物である。【００１２】    本考案の実施例は上述の如き構成でなるものであるから、図３に見る８ａの一枚、及び、８ｂの一枚を、図１に見る８ｃ一体に形成されたピン付きマーカーホルダーと、１３ａ固定バンドを１４ゴム紐等で繋ぎ使用する構成となる物であり、これを、固定バンドにて腰のベルトへ挟む、或は、既存のパークゴルフ用品にあるウエストバックなる物のその１部分に挟み１３スナップボタンで止め、マーカーホルダーを腰に吊るし携帯する１例としての物で、多種多様な外形状、及び、Ｔ字型の穴の配列など広範囲なデザイン用途等々に向いた構成にて、本考案の目的を成す物である。
【産業上の利用可能性】
【００１３】  本考案は、現在既存販売されているパークゴルフ用品に組み込み、新しいデザインとして新製品の製造に寄与する事も提供出来る。
【符号の説明】
【００１４】１，２                  マーカー差し込み穴
３                      マーカーの抜け防止の１片
４，５，６，７          Ｔ字型穴の各寸法
８ａ                    Ｔ字型の穴を設けた１枚
８ｂ                    穴など設けていない１枚
８ｃ                    ピン付きマーカーホルダー図
１０ａ，１０ｂ，１０ｃ  ピン付きマーカー
１２                    縫い合わせ糸
１３                    スナップボタン
１３ａ                  固定バンド
１４                    ゴム紐
１５                    他のデザイン、Ｔ字型使用参考図
１６ａ                  ピン付きマーカーの側面図
１６ｂ                  ピン付きマーカーの平面図
【図１】
0003209836.tif 000003
【図２】
0003209836.tif 000004
【図３】
0003209836.tif 000005
【図４】
0003209836.tif 000006
【手続補正書】
【提出日】平成29年1月20日(2017.1.20)
【手続補正１】
【補正対象書類名】実用新案登録請求の範囲
【補正対象項目名】全文
【補正方法】変更
【補正の内容】
【実用新案登録請求の範囲】
【請求項１】
円盤状部材の下面中央に一本の軸を垂設してなるマーカーを収めるＴ字型の穴を施した一枚の物と、穴を施さない一枚の物とを重ね合わせ縫いし一体に成形してなり、前記Ｔ字型の穴の横穴に前記マーカーの円盤状部材を挿入し、前記Ｔ字型の穴の縦穴から前記軸を突出した状態でスライドさせて保持するピン付きマーカーホルダー。
【手続補正２】
【補正対象書類名】明細書
【補正対象項目名】０００４
【補正方法】変更
【補正の内容】
【０００４】  上記した課題を解決するために、本考案は円盤状部材の下面中央に一本の軸を乗設してなるマーカーを収めるＴ字型の穴を施した一枚の物と、穴を施さない一枚の物とを重ね合わせ縫いし一体に成形してなり、前記Ｔ字型の穴の横穴に前記マーカーの円盤状部材を挿入し、前記Ｔ字型の穴の縦穴から前記軸を突出した状態でスライドさせて保持することを特徴としている。